(57)【特許請求の範囲】
【請求項１】
ラック内に配線されるケーブルを纏めて保持するケーブル保持部材であって、
保持部材本体はケーブルを保持する腕部を備えており、
この腕部のケーブル保持面の裏面には結束部材ズレ防止用の突起部を、腕部の長手方向に複数個形成したことを特徴とするケーブル保持部材。
【請求項２】
突起部が、腕部の幅方向の両端部にそれぞれ形成されている請求項１に記載のケーブル保持部材。
【請求項３】
ケーブル保持面をケーブル通過方向に沿って中央部が凸となる曲面に形成したうえ、この曲面の曲率半径を光ファイバーの許容曲げ半径よりも大きくし、一方、ケーブル保持面の裏面中央部には凹部を形成した請求項１または２に記載のケーブル保持部材。
【発明の詳細な説明】
【技術分野】
【０００１】
本発明は、ラック内に収納された通信機器等の機器ユニットから引き出された多数本のケーブルを保持するためにラック内に配置されるケーブル保持部材に関するものである。
【背景技術】
【０００２】
ラック内に収納された通信機器等の機器ユニットからは多数本のケーブルが引き出されているが、配線作業やメンテナンス作業等の点から、これらのケーブルを整然と配線する必要がある。
【０００３】
このため本件出願人は、特許文献１に示すような複数個のケーブル挿通孔部を形成したケーブル保持部材や、特許文献２に示すような回転動作のみでマウントアングルに着脱自在なケーブル保持部材などを開発し、先に提案している。これらのケーブル保持部材で纏められたケーブルは、例えば直角に方向変換されて次の機器へと導かれている。
【０００４】
一方、前記ケーブルをケーブル保持部材に固定することもあり、この場合はケーブルの上に結束バンド等の結束部材を巻きつけて固定している。しかしながら、特許文献１や特許文献２に示すケーブル保持部材の場合は、ケーブルや結束部材に力が加わると、結束部材自身が動いてしまいケーブルが引っ張られて損傷するという問題があった。特に、ケーブルが光ファイバーの場合はこの傾向が強かった。また、ケーブル保持面はいずれも平面状で方向変換する角部は略直角の状態であるため、光ファイバーの許容曲げ半径よりも小さく曲がってしまい光ファイバーが折れたり損傷したりする場合があり、この結果、光ファイバーの伝達機能が大きく低下するという問題もあった。
【先行技術文献】
【特許文献】
【０００５】
【特許文献１】特許第４００７７７２号公報
【特許文献２】特開２０１３−１１５１６５号公報
【発明の概要】
【発明が解決しようとする課題】
【０００６】
本発明は上記のような問題点を解決して、ケーブルを整然と配線することができ、またケーブルの結束部材に移動を生じさせることなく定位置にしっかりと固定することができ、更にはケーブルを曲げた状態で引き出しても光ファイバーが折れたり損傷したりするのを防止することができるケーブル保持部材を提供することを目的とするものである。
【課題を解決するための手段】
【０００７】
上記課題を解決するためになされた本発明のケーブル保持部材は、ラック内に配線されるケーブルを纏めて保持するケーブル保持部材であって、
保持部材本体はケーブルを保持する腕部を備えており、
この腕部のケーブル保持面の裏面には結束部材ズレ防止用の突起部を、腕部の長手方向に複数形成したことを特徴とするものである。
【０００８】
その他の好ましい実施形態によれば、前記突起部が、腕部の幅方向の両端部にそれぞれ形成されているものとするのが好ましい。
【０００９】
また、その他の好ましい実施形態によれば、前記ケーブル保持面をケーブル通過方向に沿って中央部が凸となる曲面に形成したうえ、この曲面の曲率半径を光ファイバーの許容曲げ半径よりも大きくし、一方、ケーブル保持面の裏面中央部には凹部を形成したものとするのが好ましい。
【発明の効果】
【００１０】
本発明のケーブル保持部材では、保持部材本体はケーブルを保持する腕部を備えており、この腕部のケーブル保持面の裏面には結束部材ズレ防止用の突起部を形成したので、結束部材が移動することなく定位置を維持しつつケーブルを固定することとなり、ケーブルの損傷を確実に防止できることとなる。
【００１１】
また、前記突起部が、腕部の幅方向の両端部にそれぞれ形成されているものとした場合は、結束部材を斜め方向に巻き付けた状態でケーブルを簡単に固定することができる。
【００１２】
更に、前記ケーブル保持面をケーブル通過方向に沿って曲面に形成したうえ、この曲面の曲率半径を光ファイバーの許容曲げ半径よりも大きくし、一方、ケーブル保持面の裏面中央部には凹部を形成したものとした場合は、腕部の肉厚が均一となって配線時において腕部を撓ませて容易に作業を行うことができ、また光ファイバーを急激に曲げることもないので、光ファイバーが折れたり損傷したりするのを的確に防止することができる。
【図面の簡単な説明】
【００１３】
【図１】本発明の実施の形態を示す斜視図である。
【図２】図１とは反対方向から見た斜視図である。
【図３】本発明のケーブル保持部材の使用状態を示す斜視図である。
【図４】図３の要部を示す底面図である。
【図５】本発明のケーブル保持部材の側面断面図である。
【図６】本発明のケーブル保持部材をマウントフレームに取り付けた状態を示す全体正面図である。
【図７】図６の要部を示す拡大正面図である。
【発明を実施するための形態】
【００１４】
以下に、図面を参照しつつ本発明の好ましい実施の形態を示す。
本発明のケーブル保持部材は、ラック内に収納された通信機器等の機器ユニットから引き出された多数本のケーブルを纏めるために用いるものである。図６は、一例として、ラック２０のマウントフレーム２１にスプライスユニット２２を取り付けた場合を示しており、スプライスユニット２２の前面から引き出された出た複数本のケーブル２３を複数個のケーブル保持部材を用いて纏める構造となっている。なお、前記ケーブル２３は光ファイバーである。
【００１５】
図７に示されるように、前記スプライスユニット２２の上下方向に隣接してパネル２４がマウントフレーム２１に取り付けられている。そして、このパネル２４にはケーブル２３を纏めるのに必要な個数だけケーブル保持部材が取り付けられている。図７では、ケーブル保持部材はスプライスユニット２２の前面に平行して水平方向に所定間隔を隔てて複数個並べてある。その他に、ケーブル保持部材をマウントフレーム２１に直接取り付けることもできる（図３を参照）。
なお図中、１は保持部材本体、３０はケーブル保持部材の端部を覆うカバーを示している。
【００１６】
図１、図２に示すように、前記保持部材本体１はケーブル２３を保持するための上下一対の腕部３、３を備えている。この腕部３は、保持部材本体１の基部２の上下端部からそれぞれ水平方向に突出するよう形成されており、保持部材本体１は断面コ字状となっている。また、この腕部３の内側がケーブル保持面４となっており、本明細書では外側を裏面５と称する。
【００１７】
前記腕部３のケーブル保持面４の裏面５には、結束部材のズレ防止用の突起部６が複数個形成されている。図３、図４に示すように、この突起部６は、ケーブル２３を結束するための結束部材１０を固定してズレを防止するためのものであり、図示のものでは、腕部３の長手方向に一定間隔を隔てて均等に形成されている。また突起部６は、腕部３の幅方向（長手方向と直交する方向）の両端部にそれぞれ形成されており、両側の突起部６、６間の中央部には凹部９が形成されている（この凹部９については後述する）。
【００１８】
図３、図４は、保持部材本体１は基部２のネジ固定部７をボルト８によってマウントフレーム２１に直接取り付けた構造を示している。通信機器の前面から引き出された複数本のケーブル２３は、保持部材本体１によって纏められるとともに、左右方向からケーブル保持面４を通過して下方側へ方向変換されている。この際、纏められたケーブル２３はグループごとに結束部材１０により腕３にしっかりと固定されるため、例えばケーブルが引っ張られた場合などでも移動することが防止され、損傷することがなくなる。
なお、前記結束部材１０としては、例えば端部に面ファスナーを取り付けた帯状体のような一般的な結束バンドを使用することができる。
【００１９】
また突起部６は、腕部３の長手方向に対して両端部にそれぞれ複数個形成されているので、纏められたケーブル２３の幅に応じて、結束部材１０を真っ直ぐに巻き付けたり、斜め方向に巻き付けたりすることができる。この結果、結束部材１０の側面部が突起部６に接触して移動が防止されることとなり、ケーブル２３を確実に固定することとなる。
【００２０】
また、前記腕部３のケーブル保持面４はケーブル通過方向に沿って曲面に形成されている。図５に示すものでは、前記ケーブル保持面４は上下いずれも曲面としてあるが、ケーブル２５を案内する側だけが曲面であればよく、少なくとも一方が曲面に形成されていればよい。なお、片方だけが曲面の場合は、ケーブル２３の案内方向に応じて曲面が当接するように保持部材本体１を反転させて取り付ければよい。
【００２１】
前記曲面の曲率半径は、光ファイバーの許容曲げ半径よりも大きくしてある。言い換えれば、ケーブル保持面４の曲率は、光ファイバーの許容曲げ半径の場合の曲率よりも小さくしてあり、前記ケーブル保持面４で案内されるケーブル２３は光ファイバーの許容曲げ半径以下には曲がらないようにされている。ここで、光ファイバーの許容曲げ半径とは、光ファイバーを曲げた場合に折れたり損傷したりしない限界の曲率半径を意味する。
この結果、保持部材本体１でケーブル２３の方向変換をして引き出しても、光ファイバーはケーブル保持面４の局面に沿って緩やかに曲がるため、曲げによる折れや損傷は生じることがなく十分な伝達機能を保持することができる。
【００２２】
更に、図５に示すように、前記ケーブル保持面４の裏面５の中央部には前記曲率半径に等しい曲面を有する凹部９が形成されている。これにより、腕部３の肉厚が略均一となるため、配線時において腕部３を撓ませてケーブル２３の纏めや増設等の作業を容易に行うことができることとなる。なお、前記凹部９は曲率半径に等しい曲面を有するものに限定されないことは勿論である。
【符号の説明】
【００２３】
１  保持部材本体
２  基部
３  腕部
４  ケーブル保持面
５  裏面
６  突起部
７  ネジ固定部
８  ボルト
１０  結束部材
２０  ラック
２１  マウントフレーム
２２  スプライスユニット
２３  ケーブル
２４  パネル
３０  カバー
【図１】
0006584299.tif 000002
【図２】
0006584299.tif 000003
【図３】
0006584299.tif 000004
【図４】
0006584299.tif 000005
【図５】
0006584299.tif 000006
【図６】
0006584299.tif 000007
【図７】
0006584299.tif 000008